(57)【要約】【課題】一見通常のウッドデッキと変わらない雰囲気を有しながら、床の表面材は腐ることなく高強度を保ち、打ち水をすることで長時間にわたり床の表面温度を下げることができるようなデッキ構造を提供することである。【解決手段】  最上層に保水性と透水性を有するセラミック体（１１）を配置し、最下層に多数の貫通孔を有する床面支持体（１２）を配置する床面構成部（１０）と、基礎体上に載置され床面構成部（１０）を支持する台枠部（２０）とを含み、床面構成部（１０）は、最上層と最下層の間に透水性を有する不織布（１３）を配置し、最上層は、レンガ状の複数のブロック（１１）を敷き詰め、隣接するブロック同士（１１と１１）の隙間及び台枠（２０）とブロック（１１）の隙間に砂などの粒状体を挿入する。【選択図】図１
2005336942.tif 000002
【特許請求の範囲】
【請求項１】
板状で多数の上下方向の貫通孔を有する床面支持体と、
前記床面支持体の上層に配置され、保水性と透水性を有するセラミックス体と、
を含むデッキ構造。
【請求項２】
基礎体の上に載置される台枠部と、
前記台枠部内に配置され、板状で多数の上下方向の貫通孔を有する床面支持体と、
前記床面支持体の上層に配置され、透水性を有する不織布と、
前記不織布上に敷き詰められ、保水性と透水性を有する複数のブロックからなるセラミックス体と、
前記セラミックス体の隣接するブロック同士の隙間及び前記台枠部と前記ブロックの隙間に挿入される粒状体と、
を含むデッキ構造。
【請求項３】
請求項１又は請求項２に記載のデッキ構造において、
前記セラミックス体は、産業廃棄物を再利用した素材を主成分とすること、
を特徴とするデッキ構造。
【請求項４】
請求項１から請求項３までのいずれか１項に記載のデッキ構造において、
前記床面支持体は、金属又は硬質樹脂からなるメッシュ状のパネルであること、
を特徴とするデッキ構造。
【請求項５】
請求項１から請求項４までのいずれか１項に記載のデッキ構造において、
前記台枠部の周辺の一部又は全部に沿って立ち上げた手摺又は柵を形成するための立上げ構造を含むこと、
を特徴とするデッキ構造。
【発明の詳細な説明】
【技術分野】
【０００１】
本発明は、庭園、バルコニーや屋上などで、自然との環境の調和を図って計画される造園の一部等に好適に組み込まれるデッキ構造に関するものである。
【背景技術】
【０００２】
一般に、床面に木材を使用する、いわゆるウッドデッキは、木と触れ合うという自然志向や非日常的空間の演出等、機能よりも雰囲気やデザインが、開放的な夏を象徴する存在として歓迎され、また、デッキ上に犬を放し飼いにするように、ペットアイテムのひとつにもなっている。
【特許文献１】特開２０００−１５７０４６号公報
【発明の開示】
【発明が解決しようとする課題】
【０００３】
このように人気の高いウッドデッキにも、従来品については、次のような問題点が存在する。
例えば、コストを下げるために安価な材料を採用し、材質としてウッドデッキに向くような樹種を選ばないと、耐用年数が短く、しかも、デッキ上のささくれを生じて、足裏の感触を損なう。
また、多くの木材の使用は、地球レベルでの森林破壊の原因となり好ましくない。
さらに、夏場のデッキ表面の温度上昇が甚だしく、その表面温度は、コンクリートと同様に上昇し、６０度近くになることも多い。このため、デッキ上で過ごす機会の多い季節の晴天時は、とても快適に過ごせる状態ではない。このような状態では、犬は、足裏の肉球が直接デッキに触れるので火傷するおそれさえある。
【０００４】
このようなウッドデッキは、床面の表面温度上昇を抑制する手段の提案が未だ見当たらないが、類似分野の対応技術として、屋上庭園の土壌の温度上昇を抑制する「不透水層を有する構造物の床面の緑化工法及びその構造と床面構造」（例えば、特許文献１）が提案されている。
【０００５】
特許文献１の発明は、都市型集合住宅の各住宅について、それぞれの緑化が簡単に行えると共に、真夏の間でも朝の水やり程度で十分に植物の生育が可能であり、緑化による潤いのある生活空間が創造できる床面の緑化工法及び緑化構造を提供し、かつ、床面が簡単にウッドデッキに切換えできるような床面構造が開示されている。
【０００６】
上述した緑化構造は、コンクリート構造物の床面と植栽土の間に、土砂が流れ出さないように不織布を敷き、植栽土が薄くても圧密を防ぐアジャストパネルを水平に敷きこみ、その下側のコンクリート構造物の床面との間に、感温性の土壌保水剤を内部に混合させ、土中の温度を調整可能としたものである。
また、アジャストパネルの上に、木板を載せることができる構造にして、ウッドデッキへの変更を可能にしている。
【０００７】
しかし、特許文献１は、ウッドデッキの床面は、表面に木の板が敷き詰められているのであるから、夏の強い日光の照射により短時間で温度上昇し、十分な快適さを保つことは不可能である。
【０００８】
本発明の課題は、一見通常のウッドデッキと変わらない雰囲気を有しながら、床の表面材はいつまでも腐ることのなく高強度を保ち、デッキ面に打ち水をすることで表面温度を下げ、かつ、長時間にわたり温度上昇を抑制することができるようなデッキ構造を提供することである。
【課題を解決するための手段】
【０００９】
前記課題を解決するために、請求項１の発明は、板状で多数の上下方向の貫通孔を有する床面支持体と、前記床面支持体の上層に配置され、保水性と透水性を有するセラミックス体と、を含むデッキ構造である。
請求項２の発明は、基礎体の上に載置される台枠部と、前記台枠部内に配置され、板状で多数の上下方向の貫通孔を有する床面支持体と、前記床面支持体の上層に配置され、透水性を有する不織布と、前記不織布上に敷き詰められ、保水性と透水性を有する複数のブロックからなるセラミックス体と、前記セラミックス体の隣接するブロック同士の隙間及び前記台枠部と前記ブロックの隙間に挿入される粒状体と、を含むデッキ構造である。
請求項３の発明は、請求項１又は請求項２に記載のデッキ構造において、前記セラミックス体は、産業廃棄物を再利用した素材を主成分とすること、を特徴とするデッキ構造である。
請求項４の発明は、請求項１から請求項３までのいずれか１項に記載のデッキ構造において、前記床面支持体は、金属又は硬質樹脂からなるメッシュ状のパネルであること、を特徴とするデッキ構造である。
請求項５の発明は、請求項１から請求項４までのいずれか１項に記載のデッキ構造において、前記台枠部の周辺の一部又は全部に沿って立ち上げた手摺又は柵を形成するための立上げ構造を含むこと、を特徴とするデッキ構造である。
【発明の効果】
【００１０】
以上説明したように、本発明によれば、以下のような効果がある。
（１）最上層に保水性と透水性を有するセラミック体を配置し、最下層に板状で多数の上下方向の貫通孔を有する床面支持体を配置してあるので、床の表面材は腐ることのなく高強度を保ち、打ち水をすることでデッキ面の温度をさげるとともに、長時間にわたり表面温度の上昇を抑制することができる。
（２）床面構成部の最上層と最下層の間に透水性を有する不織布を配置し、最上層は、レンガ状の多数の保水ブロックを敷き詰め、隣接するブロック同士の隙間、及び、台枠部とブロックの間の隙間に砂などの粒状体を挿入することにより、保水ブロックの保水効果を高めるので、上記の効果を一層確実なものにすることができる。
（３）セラミックス体に産業廃棄物の再利用品を主成分とするものを使用し、床面支持体に、金属又は硬質樹脂からなるメッシュ状のパネルを採用することにより、環境保全に貢献するとともに、簡単に耐久力の高い製品がえられる。
（３）手摺又は柵を形成するための立ち上げ構造部を含むことにより、従来の手摺又は柵のあるウッドデッキと同様に、木材による自然的な雰囲気を保ちながら、上記の効果を得ることができる。
【発明を実施するための最良の形態】
【００１１】
以下に図面等を参照して、発明を実施するための最良の形態を、実施例をあげて説明する。
【実施例１】
【００１２】
図１は、本発明によるデッキ構造の特徴である床面構成部１０の一部を拡大し、かつ、その一部を破断して示す説明図（斜視図）である。
図２は、図１の床面構成部１０を支持する台枠部の例として、実施例１の台枠部２０を示した斜視図である。
本実施例によるデッキ構造の床面構成部１０は、図１に示すように、床面の最上層に敷き詰められるセラミックスブロック（以下、保水ブロックという）１１、１１・・・１１と、最下層にあって全体を支える床面支持体２と、最上層と最下層の間に挿入される不織布３とから成り立っている。
【００１３】
保水ブロック１１は、産業廃棄物であるスラグを主原料とし、スラグを６０〜８０％、バインダー材としてセメント、粘度などにより成型し、焼結させたものである。この保水ブロック１１は、微小な空隙を持ち毛細管力が強いので、表面の雨水や打ち水に対し、急速な吸収、保水、及び、ゆっくりとした放出（蒸発作用）を行う特性を有している。
【００１４】
隣接する保水ブロック１１と保水ブロック１１の隙間１１ａ、１１ａ・・・１１ａや、保水ブロック１１と台枠部１０の隙間（図示しない）には、図示しない砂などの粒状体を挿入して埋める。
この粒状体は、砂以外のもの、たとえば人工的に作られたものでも良い。この粒状体で前記隙間を塞ぐことによって、隙間１１ａ、１１ａ・・・１１ａなどの部分を通過する水に抵抗を与え、より多くの水を保水ブロック１１、１１・・・１１に、保水させることができる。
不織布１３は、主として、このような粒状体の落下流出を防ぐために設けたものである。また、この不織布１３は、砂の流出もさることながら、表面から水を目地部に滞留させ、保水ブロック１１を水に漬け込んだような状況を作る役目も果たしている。
【００１５】
床面支持体１２は、上下に多数の貫通孔がある鉄又は樹脂製の板で、排水能力と耐久性が高いものであればよい。本実施例では、一般にグレーチングといわれ、市場から安価にかつ安定して入手できる、溝蓋としても使われる圧接型鋼製のものを採用している。
保水製品の一般的な特性として、水はけの悪い状態（滞留した状態）が長く続くと、製品表面からの蒸散スピードを超える速さの毛細管現象により、絶えず水分を吸収し続けるために、製品表面にカビや苔が発生しやすくなる。
本実施例は、グレーチングを床面支持体１２として使用することにより、保水セラミックスからなる保水ブロック１１の限界保水量を超える無駄な水分が速やかに排出されると同時に、供給源も断たれることにより、製品にカビや苔が発生しにくくなる効果がある。
床面支持体２は、図２の台枠部２０の根太２１、２１、２１、２１に支持される。根太２１、２１、２１、２１は、大引２２、２２、２２に支持される。手摺に沿った大引２２、２２は、それぞれの両端を手摺支柱２３、２３、２３、２３に結合し支持される。手摺支柱２３，２３，２３，２３を含む複数の支柱は、それぞれ庭園の土中などに据えられた複数の基礎Ｆ１、Ｆ１・・・Ｆ１に支持される。
手摺２４、２４、２４は、それぞれ隣接した手摺支柱２３と２３の間に挿入されて固定される。
【実施例２】
【００１６】
実施例２のデッキ構造は、主として犬などのペットの遊び場、又は、休息場として、庭やベランダなどに置くためのユニット化された形態である。
図３は、実施例２の台枠部４０を示す斜視図である。図３の台枠部４０は、枠組４１とその周辺を覆う幕板４２で形成されている。枠組４１と幕板４２の上面の高さに差があって、低い枠組４１の上に床面構成部３０が載せられ、床面構成部３０の周辺部の位置は、幕板４２の内面で規制される。
【００１７】
図４〜図７は、実施例２のデッキ構造の完成までの過程を示す斜視図である。
図４は、図３の台枠部４０の枠４１の上に、床面構成部３０の床面支持体の２枚のうちの１枚（３２ａ）を載せた状態を示している。
床面構成部３０の構成内容は、図１に示した床面構成部１０と略同様であるので、詳しい説明は省略する。
【００１８】
図５は、図４の状態に引き続き、もう１枚の床面支持体３２ｂを載せ、さらに、床面支持体３２ａ、３２ｂの上に不織布３３を敷く途中の状態を示している。
図６は、図５の状態に引き続き、不織布３３を敷き詰めた上に、途中まで保水ブロック３１、３１・・・３１を並べた状態を示している。
図７は、図６の状態に引き続き、敷き詰めた保水ブロック３１、３１・・・３１の上から砂などの粒状体３４を撒き、隣接する保水ブロック１１同士の隙間３１ａ、３１ａ・・・３１ａ、及び保水ブロック１１と幕板４２の隙間３１ｂ、３１ｂ・・・３１ｂに埋め込む作業の途中状況を示している。
【００１９】
（変形例）
以上説明した実施例に限定されることなく、種々の変形や変更が可能であって、それらも本発明の均等の範囲内である。
例えば、上記の説明では、床面構成部の保水ブロックは、レンガ状のセラミックスブロックとしたが、１枚の板状のものでもよい。
また、床面支持体は、格子状の圧接グレーチングを使用しているが、金属の１枚板に多数の孔を開けたパンチングメタルでもよく、又は、硬質合成樹脂などのパンチング製品や成型品でもよい。
【００２０】
上記の説明では、台枠部に手摺の付いたもの、及び、何も付かないものを示したが、台枠の周辺部から立ち上げてすべての周辺を囲う柵を設け、柵に出入り口を作るなどして、ペットを飼う場所にしてもよい。
また、柵又は手摺を含み、台枠部の各部、及び、床構成部の各部のデザインについては、図示以外のものでよく、さらに、色彩に工夫するなど、庭園生活の環境をより豊かにできるように変形してもよい。
【図面の簡単な説明】
【００２１】
【図１】本発明の実施例１によるデッキ構造の床面構成部の一部を拡大し一部を破断して示す説明図（斜視図）である。
【図２】図１の床面構成部を支持する実施例１の台枠部を示す斜視図である。
【図３】本発明によるデッキ構造（実施例２）の台枠部を示す斜視図である。
【図４】図３の台枠部に床面支持体の１枚を載せた状態を示す斜視図である。
【図５】図４の状態から、もう１枚の床面支持体を載せ、その上に不織布を敷く状況を示す斜視図である。
【図６】不織布を敷き詰めた上に途中まで保水ブロックを並べた状況を示す斜視図である。
【図７】保水ブロックの上から粒状体を撒き、各隙間に埋め込む状況を示す斜視図である。
【符号の説明】
【００２２】
１０、３０    床面構成部
１１、３１    保水ブロック
１２、３２ａ、３２ｂ    床面支持体
１３、３３    不織布
２０、４０    台枠部
３４    粒状体
【図１】
2005336942.tif 000003
【図２】
2005336942.tif 000004
【図３】
2005336942.tif 000005
【図４】
2005336942.tif 000006
【図５】
2005336942.tif 000007
【図６】
2005336942.tif 000008
【図７】
2005336942.tif 000009